(57)【要約】運搬者によって子供を運搬するための運搬器。運搬器は、ベルトと、座部と、胴体支持体と、１つ以上の結合具とを含む。ベルトは、運搬者の腰部および／または臀部の周りに固定するために構成され、座部は、ベルトに結合され、子供が運搬器内に着座させられている場合、子供を少なくとも部分的に支持するために構成され、子供の後方の少なくとも一部を少なくとも部分的に支持するために構成される表面を有し、胴体支持体は、１つ以上の結合具によって座部に結合され、子供の胴体の少なくとも一部を支持するために構成され、１つ以上の結合具は、１つ以上の結合具の各々のための１つ以上の結合場所と選択された基準点との間の距離の調節を可能にするように構成される。
2018501941.tif 000002
【特許請求の範囲】
【請求項１】
運搬者（１４０）によって子供（１０５）を運搬するための運搬器（１００）であって、
前記運搬者（１４０）の腰部および／または臀部の周りに固定するために構成されているベルト（１２０）と、
前記ベルト（１２０）に結合されている座部（１１０）であって、前記座部（１１０）は、前記子供（１０５）が前記運搬器（１００）内に着座させられている場合、前記子供（１０５）を少なくとも部分的に支持するために構成され、前記座部（１１０）は、前記子供（１０５）の後方の少なくとも一部を少なくとも部分的に支持するために構成されている表面（１３０）を有する、座部（１１０）と、
１つ以上の結合具（１２５）によって前記座部（１１０）に結合されている胴体支持体（１１５）であって、前記胴体支持体（１１５）は、前記子供（１０５）の胴体の少なくとも一部を支持するために構成されている、胴体支持体（１１５）と、
前記１つ以上の結合具（１２５）と
を備え、
前記１つ以上の結合具（１２５）は、前記１つ以上の結合具（１２５）の各々のための１つ以上の結合場所（２１０）と選択された基準点（２００）との間の距離（２２０）の調節を可能にするように構成されている、運搬器。
【請求項２】
前記１つ以上の結合具（１２５）は、前記１つ以上の結合具（１２５）の各々のための結合場所（２１０）と前記基準点（２００）との間の距離（２２０）の連続的な調節を可能にするように構成されている、請求項１に記載の運搬器（１００）。
【請求項３】
前記１つ以上の結合具（１２５）は、前記１つ以上の結合具（１２５）の各々のための結合場所（２１０）と前記基準点（２００）との間の前記距離（２２０）の個別の調節を可能にするように構成されている、請求項１に記載の運搬器（１００）。
【請求項４】
前記１つ以上の結合具（１２５）の各々のための結合場所（２１０）と前記基準点（２００）との間の距離（２２０）は、選択された範囲内で調節可能である、請求項１に記載の運搬器（１００）。
【請求項５】
前記１つ以上の結合具（１２５）のうちの少なくとも１つは、前記座部（１１０）に取り付けられているトラック（７１０）と、前記トラック（７１０）をしっかりと把持するため、および前記胴体支持体（１１５）への取り付けのために構成されている留め具（７２０）とを備えている、請求項１に記載の運搬器（１００）。
【請求項６】
前記留め具（７２０）および前記トラック（７１０）は、前記１つ以上の結合具（１２５）の各々のための結合場所（２１０）と前記基準点（２００）との間の距離（２２０）の連続的な調節を可能にするように構成されている、請求項５に記載の運搬器（１００）。
【請求項７】
前記ベルト（１２０）は、前記運搬者（１４０）の臀部上に前記子供（１０５）の体重の少なくとも一部を支持するために構成されている、請求項１に記載の運搬器（１００）。
【請求項８】
前記運搬器（１００）は、前記運搬者（１４０）の背部、臀部、または正面のうちの少なくとも１つの位置において前記子供（１０５）を運搬することを可能にするように構成されている、請求項１に記載の運搬器（１００）。
【請求項９】
前記運搬器（１００）は、前記運搬者（１４０）の方に面する向きまたは前記運搬者（１４０）から離れる方に面する向きのうちの少なくとも１つにおいて前記子供（１０５）を運搬するために構成されている、請求項８に記載の運搬器（１００）。
【請求項１０】
少なくとも１つの結合場所（２１０）における前記１つ以上の結合具（１２５）のうちの少なくとも１つの取り付きは、前記座部（１１０）の表面（１３０）による前記子供（１０５）の後方の少なくとも一部の少なくとも部分的支持の除去をもたらす、請求項１に記載の運搬器。
【請求項１１】
前記座部（１１０）は、挿入体（６００）と、カバー（６１０）とを備え、前記挿入体（６００）は、前記カバー（６１０）の内側への配置のために構成されている、請求項１に記載の運搬器。
【発明の詳細な説明】
【背景技術】
【０００１】
いくつかの運搬器が、両親または他の個人によって子供を運搬するために開発されており、現在利用可能である。運搬器は、種々の運搬モード、すなわち、運搬者の背部、正面、または臀部上において、かつ子供が運搬者に向かって、またはそれと反対に面した状態において設計されている。それらはまた、運搬器内で運搬されることになる子供の種々の年齢、体重、およびサイズのために設計されている。利用可能な運搬器は、子供を運搬者に密接して寄り添わせる軟質の軽量運搬器から、子供を運搬者の背部で運搬するために意図された金属フレームを有するより大型の運搬器にまで及ぶ。
【発明の概要】
【課題を解決するための手段】
【０００２】
例証目的のために図面に示されるように、調節可能着座位置において子供を運搬することを可能にする、新規子供運搬器が、本明細書に開示される。任意の所与の年齢において、子供のサイズにばらつきがあり、子供は、年を取るに伴って、自然により大きくなる。本明細書に開示される代表的実施形態において、子供を支持するために利用可能な座部の深度は、調節可能である。利用可能な座部空間は、子供のサイズに調節されることができ、それによって、子供は、運搬器内で弛緩状態で着座せず、それによって、子供運搬器内に居る間、子供の安全性および快適性を向上させる。子供を支持するために利用可能な座部の深度は、選択された固定もしくは部分的固定場所において、または選択された範囲内の連続的な調節によって、変更されることができる。以前の子供運搬器は、子供が着座するために利用可能な座部の深度の調節に柔軟性を有していなかった。
【図面の簡単な説明】
【０００３】
付随の図面は、種々の代表的実施形態をより完全に説明するために使用される、視覚的表現を提供し、開示される代表的実施形態およびその固有の利点をより深く理解するために当業者によって使用されることができる。これらの図面では、同一参照番号は、対応する要素を識別する。
【０００４】
【図１Ａ】図１Ａは、種々の代表的実施形態に説明される、子供が運搬器内に着座させられた状態における子供運搬器の図面である。
【０００５】
【図１Ｂ】図１Ｂは、胴体支持体が第３の結合位置において座部に結合された状態における図１Ａの子供運搬器の図面である。
【０００６】
【図１Ｃ】図１Ｃは、胴体支持体が第４の結合位置において座部に結合された状態における図１Ａの子供運搬器の図面である。
【０００７】
【図１Ｄ】図１Ｄは、胴体支持体が第５の結合位置において座部に結合された状態における図１Ａの子供運搬器の図面である。
【０００８】
【図２Ａ】図２Ａは、図１Ａの第１の結合位置における子供運搬器の座部およびベルトの一部の概略の図面である。
【０００９】
【図２Ｂ】図２Ｂは、図１Ａおよび１Ｂのものの中間の第２の結合位置における子供運搬器の座部およびベルトの一部の概略の図面である。
【００１０】
【図２Ｃ】図２Ｃは、図１Ｂの第３の結合位置における子供運搬器の座部およびベルトの一部の概略の図面である。
【００１１】
【図２Ｄ】図２Ｄは、図１Ｃの第４の結合位置における子供運搬器の座部およびベルトの一部の概略の図面である。
【００１２】
【図２Ｅ】図２Ｅは、図１Ｄの第５の結合位置における子供運搬器の座部およびベルトの一部の概略の図面である。
【００１３】
【図３Ａ】図３Ａは、図１Ａおよび２Ａの第１の結合位置における子供運搬器の座部およびベルトの別の図面である。
【００１４】
【図３Ｂ】図３Ｂは、図２Ｂの第２の結合位置ならびに図１Ａおよび１Ｂのものの中間における子供運搬器の座部およびベルトの別の図面である。
【００１５】
【図３Ｃ】図３Ｃは、図１Ｂおよび２Ｃの第３の結合位置における子供運搬器の座部およびベルトの別の図面である。
【００１６】
【図３Ｄ】図３Ｄは、図１Ｃおよび２Ｄの第４の結合位置における子供運搬器の座部およびベルトの別の図面である。
【００１７】
【図３Ｅ】図３Ｅは、図１Ｄおよび２Ｅの第５の結合位置における子供運搬器の座部およびベルトの別の図面である。
【００１８】
【図４Ａ】図４Ａは、子供が運搬者の正面上で運搬され、子供が運搬者に向かって面する状態における図１Ａの子供運搬器の図面である。
【００１９】
【図４Ｂ】図４Ｂは、子供が運搬者の正面上で運搬され、子供が運搬者から反対に面する状態における図１Ａの子供運搬器の図面である。
【００２０】
【図５Ａ】図５Ａは、種々の代表的実施形態に説明される、単一肩部ストラップを有する子供運搬器の図面である。
【００２１】
【図５Ｂ】図５Ｂは、図５Ａの子供運搬器の別の図面である。
【００２２】
【図６Ａ】図６Ａは、種々の代表的実施形態に説明される座部挿入体の図面である。
【００２３】
【図６Ｂ】図６Ｂは、種々の代表的実施形態に説明される子供運搬器の座部の座部カバー内に配置される、図６Ａの座部挿入体の図面である。
【００２４】
【図７Ａ】図７Ａは、種々の代表的実施形態に説明される子供運搬器の座部に取り付けられる結合具の図面である。
【００２５】
【図７Ｂ】図７Ｂは、図７Ａの方向Ａ−Ａにおける結合具の断面図の図面である。
【発明を実施するための形態】
【００２６】
以下の発明を実施するための形態および図面のいくつかの図では、同一要素は、同一参照番号を用いて識別される。
【００２７】
図１Ａは、種々の代表的実施形態に説明される、子供１０５が運搬器１００内に着座させられた状態における子供運搬器１００の図面である。図１Ａの代表的実施形態では、運搬器１００は、ベルト１２０と、座部１１０と、胴体支持体１１５と、１つ以上の結合具１２５とを備えている。図１Ａに示される左結合具１２５−Ｌおよび右結合具１２５−Ｒは、集合的に、結合具１２５または複数の結合具１２５と称される。しかしながら、１つ以上の結合具１２５は、２つの結合具１２５であるように制限されるものではなく、任意の適切な数の部品であり得る。運搬者１４０に結合されると、追加の支持を子供１０５および運搬器１００に提供するために構成される肩部ストラップ１３５も図１Ａに示されている。この代表的実施形態では、肩部ストラップ１３５は、右肩部ストラップ１３５−Ｒと、左肩部ストラップ１３５−Ｌとを備え、それらの各々は、１つ以上のより小さいストラップおよび／または他の要素と、結合デバイスとを備え得、結合デバイスは、胴体支持体１１５および／または座部１１０および／またはベルト１２０ならびに互いにまたは接続結合を介して互いに結合するために構成される。左および右肩部ストラップ１３５−Ｌ、１３５−Ｒは、１つ以上の取り外し可能および／または非取り外し可能肩部パッドも備え得、集合的に、肩部ストラップ１３５と称される。図１Ａに示されるように子供１０５が着座させられた状態における運搬器１００は、運搬者１４０によって運搬するために置かれている。子供１０５が運搬器１００内に着座させられた状態で、子供１０５の後方の少なくとも一部が、座部１１０の表面１３０上に少なくとも部分的に支持される。表面１３０は、図１Ｂにより明確に示される。ベルト１２０は、運搬者１４０の臀部および／または腰部の周りに固定し、子供１０５の体重の少なくとも一部を支持するために構成される。運搬者１４０の臀部の少なくとも一部の周りに固定し、子供１０５の体重の少なくとも一部をその上に支持するために構成される場合、ベルト１２０は、臀部ベルト１２０であることができ、そのように称される。図１Ａでは、座部１１０は、ベルト１２０に結合され、子供が運搬器１００内に着座させられているとき、子供１０５を少なくとも部分的に支持するために構成される。胴体支持体１１５は、図１Ａに示されるように、１つ以上の結合具１２５によって、第１の結合位置１５１と称される結合位置１５０において座部１１０に結合され、子供１０５の胴体の少なくとも一部を支持するために構成される。
【００２８】
議論を簡単および明確にするために、用語「左」は、本明細書で使用される場合、ベルト１２０から最も遠い座部１１０のその部分からベルト１２０に向かって見たときに、関連付けられた構成要素の左側に位置する運搬器１００の構成要素を指し、同様に、用語「右」は、本明細書で使用される場合、ベルト１２０から最も遠い座部１１０のその部分からベルト１２０に向かって見たとき、関連付けられた構成要素の右側に位置する運搬器１００の構成要素を指す。具体的には、この識別は、本明細書では、左結合具１２５−Ｌ、右結合具１２５−Ｒ、右肩部ストラップ１３５−Ｒ、および左肩部ストラップ１３５−Ｌを参照する。しかしながら、前述のように、この識別は、議論を簡単および明確にするためのものであり、本明細書に開示されるこれらまたは他の構成要素のいずれかを運搬器１００の左または右側にあるように限定するものではない。
【００２９】
図１Ｂは、胴体支持体１１５が第３の結合位置１５３において座部１１０に結合された状態における、図１Ａの子供運搬器１００の図面である。図１Ｂに示される結合位置１５０は、本明細書では、第３の結合位置１５３と称される。運搬器１００が図１Ｂの第３の結合位置１５３にある状態で、結合具１２５は、図１Ａの第１の結合位置１５１におけるより座部ベルト１２０により近い座部１１０の場所において、胴体支持体１１５を座部１１０に取り付ける。したがって、子供１０５は、子供１０５が第１の結合位置１５１にあるであろうより、座部ベルト１２０、それによって、運搬者１４０により近く配置される。左結合具１２５−Ｌの一部のみが、図１Ｂに示される。第１の結合位置１５１と第３の結合位置１５３との間の中間の第２の結合位置１５２は、図２Ｂおよび３Ｂとともに開示および説明される。前に示されたように、座部１１０の上部表面１３０である表面１３０は、図１Ａにおけるより図１Ｂにおいて明確に示される。
【００３０】
図１Ｃは、胴体支持体１１５が第４の結合位置１５４において座部１１０に結合された状態における、図１Ａの子供運搬器１００の図面である。図１Ｃに示される結合位置１５０は、本明細書では、第４の結合位置１５４と称される。運搬器１００が図１Ｃの第４の結合位置１５４にある状態で、結合具１２５は、関連付けられた図１Ａおよび１Ｂの第１および第３の結合位置１５１、１５３ならびに図２Ｂおよび３Ｂの第２の結合位置１５２の両方におけるより座部ベルト１２０に近い座部１１０上の場所において、胴体支持体１１５を座部１１０に取り付ける。したがって、子供１０５は、子供１０５が第１、第２、および第３の結合位置１５１、１５２、１５３におけるであろうより、座部ベルト１２０、それによって、運搬者１４０により近く配置される。図１Ｃでは、胴体支持体１１５は、左結合具１２５−Ｌの正面にあり、左結合具１２５−Ｌは、図１Ｃでは示されない結果となる。
【００３１】
図１Ｄは、胴体支持体１１５が第５の結合位置１５５において座部１１０に結合された状態における、図１Ａの子供運搬器１００の図面である。図１Ｄに示される結合位置１５０は、本明細書では、第５の結合位置１５５と称される。運搬器１００が図１Ｄの第５の結合位置１５５にある状態で、結合具１２５は、関連付けられた図１Ａ、１Ｂ、および１Ｃの第１、第３、および第４の結合位置１５１、１５３、１５４ならびに図２Ｂおよび３Ｂの第２の結合位置１５２より座部ベルト１２０に近い座部１１０上の場所において、胴体支持体１１５を座部１１０に取り付ける。したがって、子供１０５は、子供１０５が第１、第２、第３、および第４の結合位置１５１、１５２、１５３、１５４にあるであろうより、座部ベルト１２０、それによって、運搬者１４０により近く配置される。図１Ｄでは、胴体支持体１１５は、左結合具１２５−Ｌの正面にあり、左結合具１２５−Ｌは、図１Ｄに示されない結果となる。図１Ｄに示される第５の結合位置１５５の代表的実施形態では、結合具１２５は、座部１１０がベルト１２０に結合される部位またはその近傍に配置され、その取り付きは、座部１１０および／またはベルト１２０に対してであり得る。この構成で、子供１０５の臀部は、座部１１０によって支持されず、胴体支持体１１５によって支持される。
【００３２】
図１Ａ−１Ｃでは、運搬器１００は、子供１０５が運搬者１４０に向かって面した状態で運搬者１４０の背にあり、図１Ｄでは、運搬器１００は、子供１０５が運搬者１４０に向かって面した状態で運搬者１４０の前にあることに留意されたい。しかしながら、他の構成に加え、運搬器１００は、運搬者１４０の前または背のいずれかに位置し、子供１０５は、運搬者１４０に向かって、またはそこから離れる方のいずれかに面し得る。
【００３３】
図２Ａは、図１Ａの第１の結合位置１５１における、子供運搬器１００の座部１１０およびベルト１２０の一部の概略の図面である。図１Ａに対応して、図２Ａでは、図２Ａに示されない左結合具１２５−Ｌは、選択された基準点２００から第１の左距離２２１−Ｌにある第１の左結合場所２１１−Ｌにおいて座部１１０上に位置し、同様に図２Ａに示されない右結合具１２５−Ｒは、基準点２００から第１の右距離２２１−Ｒにある第１の右結合場所２１１−Ｒにおいて座部１１０上に位置する。図上に示される基準点２００は、議論を簡単および明確にするために選択される。集合的に、第１の左結合場所２１１−Ｌおよび第１の右結合場所２１１−Ｒは、本明細書では、第１の結合場所２１１と称される。第１の結合場所２１１は、図面に示されないが、図２Ａ上の適切な点２４０によって表され得る。さらに、集合的に、第１の左距離２２１−Ｌおよび第１の右距離２２１−Ｒは、本明細書では、代表的第１の距離２２１と称され、そのように示される。第１の距離２２１は、例えば、その線分２３０の中点であり得る、例えば、第１の左結合場所２１１−Ｌと第１の右結合場所２１１−Ｒとの間の線分２３０上に位置する点２４０から、基準点２００まで測定され得る。
【００３４】
図２Ｂは、図１Ａおよび１Ｂのものの中間にある第２の結合位置１５２における、運搬器１００の座部１１０およびベルト１２０の一部の概略の図面である。図２Ｂでは、図２Ｂに示されない左結合具１２５−Ｌは、基準点２００から第２の左距離２２２−Ｌにある第２の左結合場所２１２−Ｌにおいて座部１１０上に位置し、同様に図２Ｂに示されない右結合具１２５−Ｒは、基準点２００から第２の右距離２２２−Ｒにある第２の右結合場所２１２−Ｒにおいて座部１１０上に位置する。集合的に、第２の左結合場所２１２−Ｌおよび第２の右結合場所２１２−Ｒは、本明細書では、第２の結合場所２１２と称される。第２の結合場所２１２は、図面に示されないが、図２Ｂ上の点２４０によって表され得る。さらに、集合的に、第２の左距離２２２−Ｌおよび第２の右距離２２２−Ｒは、本明細書では、代表的第２の距離２２２と称され、そのように示される。第２の距離２２２は、例えば、その線分２３０の中点であり得る、例えば、第２の左結合場所２１２−Ｌと第２の右結合場所２１２−Ｒとの間の線分２３０上に位置する点２４０から、基準点２００まで測定され得る。
【００３５】
図２Ｃは、図１Ｂの第３の結合位置１５３における子供運搬器１００の座部１１０およびベルト１２０の一部の概略の図面である。図１Ｂに対応して、図２Ｃでは、図２Ｃに示されない左結合具１２５−Ｌは、基準点２００から第３の左距離２２３−Ｌにある第３の左結合場所２１３−Ｌにおいて座部１１０上に位置し、同様に図２Ｃに示されない右結合具１２５−Ｒは、基準点２００から第３の右距離２２３−Ｒにある第３の右結合場所２１３−Ｒにおいて座部１１０上に位置する。集合的に、第３の左結合場所２１３−Ｌおよび第３の右結合場所２１３−Ｒは、本明細書では、第３の結合場所２１３と称される。第３の結合場所２１３は、図面に示されないが、図２Ｃ上の点２４０によって表され得る。さらに、集合的に、第３の左距離２２３−Ｌおよび第３の右距離２２３−Ｒは、本明細書では、代表的第３の距離２２３と称され、そのように示される。第３の距離２２３は、例えば、その線分２３０の中点であり得る、例えば、第３の左結合場所２１３−Ｌと第３の右結合場所２１３−Ｒとの間の線分２３０上に位置する点２４０から、基準点２００まで測定され得る。
【００３６】
図２Ｄは、図１Ｃの第４の結合位置１５４における子供運搬器１００の座部１１０およびベルト１２０の一部の概略の図面である。図１Ｃに対応して、図２Ｄでは、図２Ｄに示されない左結合具１２５−Ｌは、基準点２００から第４の左距離２２４−Ｌにある第４の左結合場所２１４−Ｌにおいて座部１１０上に位置し、同様に図２Ｄに示されない右結合具１２５−Ｒは、基準点２００から第４の右距離２２４−Ｒにある第４の右結合場所２１４−Ｒにおいて座部１１０上に位置する。集合的に、第４の左結合場所２１４−Ｌおよび第４の右結合場所２１４−Ｒは、本明細書では、第４の結合場所２１４と称される。第４の結合場所２１４は、図面に示されないが、図２Ｄ上の点２４０によって表され得る。さらに、集合的に、第４の左距離２２４−Ｌおよび第４の右距離２２４−Ｒは、本明細書では、代表的第４の距離２２４と称され、そのように示される。第４の距離２２４は、例えば、その線分２３０の中点であり得る、例えば、第４の左結合場所２１４−Ｌと第４の右結合場所２１４−Ｒとの間の線分２３０上に位置する点２４０から、基準点２００まで測定され得る。
【００３７】
図２Ｅは、図１Ｄの第５の結合位置１５５における子供運搬器１００の座部１１０およびベルト１２０の一部の概略の図面である。図１Ｄに対応して、図２Ｅでは、図２Ｅに示されない左結合具１２５−Ｌは、基準点２００から第５の左距離２２５−Ｌにある第５の左結合場所２１５−Ｌにおいて座部１１０上に位置し、同様に図２Ｅに示されない右結合具１２５−Ｒは、基準点２００から第５の右距離２２５−Ｒにある第５の右結合場所２１５−Ｒにおいて座部１１０上に位置する。集合的に、第５の左結合場所２１５−Ｌおよび第５の右結合場所２１５−Ｒは、本明細書では、第５の結合場所２１５と称される。第５の結合場所２１５は、図面に示されないが、図２Ｅ上の点２４０によって表され得る。さらに、集合的に、第５の左距離２２５−Ｌおよび第５の右距離２２５−Ｒは、本明細書では、代表的第５の距離２２５と称され、そのように示される。第５の距離２２５は、例えば、その線分２３０の中点であり得る、例えば、第５の左結合場所２１５−Ｌと第５の右結合場所２１５−Ｒとの間の線分２３０上に位置する点２４０から、基準点２００まで測定され得る。
【００３８】
左結合具１２５−Ｌの一般的配置は、本明細書では、基準点２００から左距離２２０−Ｌにある左結合場所２１０−Ｌに位置すると称され、右結合具１２５−Ｒの一般的配置は、本明細書では、基準点２００から右距離２２０−Ｒにある右結合場所２１０−Ｒに位置すると称される。集合的に、左結合場所２１０−Ｌおよび右結合場所２１０−Ｒは、結合場所２１０または結合場所２１０と称され、集合的に、左距離２２０−Ｌおよび右距離２２０−Ｒは、距離２２０と称される。
【００３９】
図のいずれにも具体的に示されないが、左結合場所２１０−Ｌは、一般に、第１の左結合場所２１１−Ｌ、第２の左結合場所２１２−Ｌ、第３の左結合場所２１３−Ｌ、第４の左結合場所２１４−Ｌ、第５の左結合場所２１５−Ｌ、および／または任意の他の同様に関連付けられた場所を指す一方、図のいずれにも具体的に示されないが、右結合場所２１０−Ｒは、一般に、第１の右結合場所２１１−Ｒ、第２の右結合場所２１２−Ｒ、第３の右結合場所２１３−Ｒ、第４の右結合場所２１４−Ｒ、第５の右結合場所２１５−Ｒ、および／または任意の他の同様に関連付けられた場所を指し、図のいずれにも具体的に示されないが、左距離２２０−Ｌは、一般に、第１の左距離２２１−Ｌ、第２の左距離２２２−Ｌ、第３の左距離２２３−Ｌ、第４の左距離２２４−Ｌ、第５の左距離２２５−Ｌ、および／または任意の他の同様に関連付けられた距離を指す一方、図のいずれにも具体的に示されないが、右距離２２０−Ｒは、一般に、第１の右距離２２１−Ｒ、第２の右距離２２２−Ｒ、第３の右距離２２３−Ｒ、第４の右距離２２４−Ｒ、第５の右距離２２５−Ｒ、および／または任意の他の関連付けられた距離を指す。
【００４０】
図３Ａは、図１Ａおよび２Ａの第１の結合位置１５１における子供運搬器１００の座部１１０およびベルト１２０の別の図面である。図３Ａは、第１の結合位置１５１において胴体支持体１１５を座部１１０に結合するための１つ以上の結合具１２５を示す。図３Ａでは、１つ以上の結合具１２５は、左結合具１２５−Ｌと、右結合具１２５−Ｒとを備えている。図２Ａにおけるように、左結合具１２５−Ｌは、選択された基準点２００から第１の左距離２２１−Ｌに位置付けられる第１の左結合場所２１１−Ｌにおいて座部１１０上に位置し（図２Ａ参照）、右結合具１２５−Ｒは、基準点２００から第１の右距離２２１−Ｒに位置付けられる第１の右結合場所２１１−Ｒにおいて座部１１０上に位置する（図２Ａ参照）。さらに、図２Ａの議論におけるように、集合的に、左および右結合具１２５−Ｌ、１２５−Ｒの図３Ａにおける配置は、基準点２００から第１の距離２２１に位置する第１の結合場所２１１と称される。
【００４１】
図３Ｂは、図２Ｂの第２の結合位置１５２ならびに図１Ａおよび１Ｂのものの中間における、子供運搬器１００の座部１１０およびベルト１２０の別の図面である。図３Ｂは、第２の結合位置１５２において胴体支持体１１５を座部１１０に結合するための１つ以上の結合具１２５を示す。図３Ｂでは、１つ以上の結合具１２５は、左結合具１２５−Ｌと、右結合具１２５−Ｒとを備えている。図２Ｂにおけるように、左結合具１２５−Ｌは、選択された基準点２００から第２の左距離２２２−Ｌに位置付けられる第２の左結合場所２１２−Ｌにおいて座部１１０上に位置し（図２Ｂ参照）、右結合具１２５−Ｒは、基準点２００から第２の右距離２２２−Ｒに位置付けられる第２の右結合場所２１２−Ｒにおいて座部１１０上に位置する（図２Ｂ参照）。図２Ｂの議論におけるように、集合的に、左および右結合具１２５−Ｌ、１２５−Ｒの図３Ｂにおける配置は、基準点２００から第２の距離２２２に位置する第２の結合場所２１２と称される。
【００４２】
図３Ｃは、図１Ｂおよび２Ｃの第３の結合位置１５３における子供運搬器１００の座部１１０およびベルト１２０の別の図面である。図３Ｃは、第３の結合位置１５３において胴体支持体１１５を座部１１０に結合するための１つ以上の結合具１２５を示す。図３Ｃでは、１つ以上の結合具１２５は、左結合具１２５−Ｌと、右結合具１２５−Ｒとを備えている。図２Ｃにおけるように、左結合具１２５−Ｌは、選択された基準点２００から第３の左距離２２３−Ｌに位置付けられる第３の左結合場所２１３−Ｌにおいて座部１１０上に位置し（図２Ｃ参照）、右結合具１２５−Ｒは、基準点２００から第３の右距離２２３−Ｒに位置付けられる第３の右結合場所２１３−Ｒにおいて座部１１０上に位置する（図２Ｃ参照）。図２Ｃの議論におけるように、集合的に、左および右結合具１２５−Ｌ、１２５−Ｒの図３Ｃにおける配置は、基準点２００から第３の距離２２３に位置する第３の結合場所２１３と称される。
【００４３】
図３Ｄは、図１Ｃおよび２Ｄの第４の結合位置１５４における子供運搬器１００の座部１１０およびベルト１２０の別の図面である。図３Ｄは、第４の結合位置１５４において胴体支持体１１５を座部１１０に結合するための１つ以上の結合具１２５を示す。図３Ｄでは、１つ以上の結合具１２５は、左結合具１２５−Ｌと、右結合具１２５−Ｒとを備えている。図２Ｄにおけるように、左結合具１２５−Ｌは、選択された基準点２００から第４の左距離２２４−Ｌに位置付けられる第４の左結合場所２１４−Ｌにおいて座部１１０上に位置し（図２Ｄ参照）、右結合具１２５−Ｒは、基準点２００から第４の右距離２２４−Ｒに位置付けられる第４の右結合場所２１４−Ｒにおいて座部１１０上に位置する（図２Ｄ参照）。図２Ｄの議論におけるように、集合的に、左および右結合具１２５−Ｌ、１２５−Ｒの図３Ｄにおける配置は、基準点２００から第４の距離２２４に位置する第４の結合場所２１４と称される。
【００４４】
図３Ｅは、図１Ｄおよび２Ｅの第５の結合位置１５５における子供運搬器１００の座部１１０およびベルト１２０の別の図面である。図３Ｅは、第５の結合位置１５５において胴体支持体１１５を座部１１０に結合するための１つ以上の結合具１２５を示す。図３Ｅでは、１つ以上の結合具１２５は、左結合具１２５−Ｌと、右結合具１２５−Ｒとを備えている。図２Ｅにおけるように、左結合具１２５−Ｌは、選択された基準点２００から第５の左距離２２５−Ｌに位置付けられる第５の左結合場所２１５−Ｌにおいて座部１１０上に位置し（図２Ｅ参照）、右結合具１２５−Ｒは、基準点２００から第５の右距離２２５−Ｒに位置付けられる第５の右結合場所２１５−Ｒにおいて座部１１０上に位置する（図２Ｅ参照）。図２Ｅの議論におけるように、集合的に、左および右結合具１２５−Ｌ、１２５−Ｒの図３Ｅにおける配置は、基準点２００から第５の距離２２５に位置する第５の結合場所２１５と称される。
【００４５】
図４Ａは、子供１０５が運搬者１４０の正面上で運搬され、子供１０５が運搬者１４０に向かって面する状態における、図１Ａの子供運搬器１００の図面である。
【００４６】
図４Ｂは、子供１０５が運搬者１４０の正面上で運搬され、子供１０５が運搬者１４０から離れる方に面する状態における、図１Ａの子供運搬器１００の図面である。
【００４７】
図５Ａは、種々の代表的実施形態に説明される、単一肩部ストラップ１３５を有する、子供運搬器１００の図面である。肩部ストラップ１３５は、１つ以上のより小さいストラップおよび／または他の要素と、胴体支持体１１５および／または座部１１０および／またはベルト１２０、ならびに互いにおよび／または接続結合を介して互いに結合するために構成される結合デバイスとを備え得る。図５Ａの子供運搬器１００は、運搬者１４０の臀部上において子供を斜めに運搬するために使用され得る。
【００４８】
図５Ｂは、図５Ａの子供運搬器１００の別の図面である。図５Ｂでは、子供１０５は、子供１０５が１４０運搬者に向かって面する状態において、運搬者１４０の臀部上において斜めに運搬される。
【００４９】
図６Ａは、種々の代表的実施形態に説明される座部挿入体６００の図面である。
【００５０】
図６Ｂは、種々の代表的実施形態に説明される、子供運搬器１００の座部１１０の座部カバー６１０内に配置される、図６Ａの座部挿入体６００の図面である。代表的実施形態では、子供運搬器１００の座部１１０は、代替として、本明細書では、挿入体カバー６１０およびカバー６１０とも称される、座部カバー６１０と、本明細書では、挿入体６００とも称される、座部挿入体６００とを備え得る。座部挿入体６００は、子供１０５が子供運搬器１００内に配置されるとき、子供１０５を支持することを可能にするように十分に硬質であり、カバー６１０内に配置され得る。
【００５１】
図７Ａは、種々の代表的実施形態に説明される、子供運搬器１００の座部１１０に取り付けられる、結合具１２５の図面である。図７Ｂは、図７Ａの方向Ａ−Ａにおける結合具１２５の断面図の図面である。図７Ａ−７Ｂでは、結合具１２５は、トラック７１０と、留め具７２０とを備えている。トラック７１０は、座部１１０に固定して結合され得、留め具７２０は、胴体支持体１１５に結合され得る。トラック７１０の長さに沿った留め具７２０の場所は、連続的に調節され、それによって、支持するための子供１０５に利用可能な座部１１０の深度の連続的な調節を可能にし得る。図７Ａ−７Ｂの代表的実施形態では、トラック７１０は、座部１１０に取り付けられる。この取り付きは、トラック７１０および座部１１０の少なくとも一部を材料の層７１５で覆い、その後、層７１５が、材料を座部１１０に縫着することによって、接着剤の使用によって、または任意の他の適切な手段によって、トラック７１０の長さに沿って座部１１０に接合されることによってもたらされ得る。留め具７２０は、留め具７２０がトラック７１０の長さに沿ってある結合場所２１０から別の場所に移動され得るように、トラック７１０の周囲にしっかりと留まる。留め具７２０は、胴体支持体１１５への取り付きを可能にする種々の構成要素のいずれかを備え得る。
【００５２】
図７Ａ−７Ｂにおけるトラック７１０は、限定ではないが、プラスチック管および金属ワイヤまたはケーブルを含む種々の材料を使用して製作され得る。これらの材料のいずれも、座部１１０に糊着もしくは別様に接合されるか、または代替として、座部に縫着もしくは別様に接合され得る布地で被覆され得る。留め具７２０も同様に、限定ではないが、プラスチックおよび金属を含む種々の材料を使用して製作され得る。留め具７２０は、胴体支持体１１５に糊着されるか、または別様に取り付けられ得る。他の実施形態では、留め具７２０を１つ以上の場所においてトラック７１０に係止するための随意の機構が、追加され得る。留め具７２０は、トラック７１０を、トラック７１０に対する留め具７２０の移動により多くの抵抗を提供し得る他の構成において把持するようにも構成され得る。
【００５３】
種々の代表的実施形態では、結合場所２１０は、個別のステップにおいて、または結合場所２１０と基準点２００との間の距離２２０の選択された範囲内の連続的な調節によってのいずれかにおいて、ある場所から別の場所に変更され得る。結合具１２５の結合場所２１０のための選択された範囲は、任意のアクセス可能および有用な結合場所２１０を含むように設定され得る。代表的実施例では、選択された範囲は、第１の結合場所２１１から第５の結合場所２１５、第１の結合場所２１１から第３の結合場所２１３、第２の結合場所２１２から第４の結合場所２１４、または任意の他の適切な選択された結合場所間に延び得る。
【００５４】
代表的実施形態では、運搬者１４０によって子供１０５を運搬するための運搬器１００が、開示される。運搬器１００は、ベルト１２０と、座部１１０と、胴体支持体１１５と、１つ以上の結合具１２５とを備えている。ベルト１２０は、運搬者１４０の腰部および／または臀部の周りに固定するために構成され、座部１１０は、ベルト１２０に結合され、子供１０５が運搬器１００内に着座させられている場合、子供１０５を少なくとも部分的に支持するために構成され、子供１０５の後方の少なくとも一部を少なくとも部分的に支持するために構成されている表面１３０を有し、胴体支持体１１５は、１つ以上の結合具１２５によって、座部１１０に結合され、子供１０５の胴体の少なくとも一部を支持するために構成され、１つ以上の結合具１２５は、１つ以上の結合具１２５の各々のための１つ以上の結合場所２１０と選択された基準点２００との間の距離２２０の調節を可能にするように構成される。
【００５５】
本明細書に詳細に説明された代表的実施形態は、限定ではなく、一例として、提示されている。種々の変更が、説明される実施形態の形態および詳細に成され、添付の請求項の範囲内にある均等物実施形態をもたらし得ることが、当業者によって理解されるであろう。
【図１Ａ】
2018501941.tif 000003
【図１Ｂ】
2018501941.tif 000004
【図１Ｃ】
2018501941.tif 000005
【図１Ｄ】
2018501941.tif 000006
【図２Ａ】
2018501941.tif 000007
【図２Ｂ】
2018501941.tif 000008
【図２Ｃ】
2018501941.tif 000009
【図２Ｄ】
2018501941.tif 000010
【図２Ｅ】
2018501941.tif 000011
【図３Ａ】
2018501941.tif 000012
【図３Ｂ】
2018501941.tif 000013
【図３Ｃ】
2018501941.tif 000014
【図３Ｄ】
2018501941.tif 000015
【図３Ｅ】
2018501941.tif 000016
【図４Ａ】
2018501941.tif 000017
【図４Ｂ】
2018501941.tif 000018
【図５Ａ】
2018501941.tif 000019
【図５Ｂ】
2018501941.tif 000020
【図６Ａ】
2018501941.tif 000021
【図６Ｂ】
2018501941.tif 000022
【図７Ａ】
2018501941.tif 000023
【図７Ｂ】
2018501941.tif 000024
【国際調査報告】
2018501941.tif 000025
2018501941.tif 000026